(57)【要約】【課題】光出力が周期的に変動する複数の照明器具を備え、各照明器具の調光率を適切に制御することができる照明システムを提供する。【解決手段】照明システムは、偶数台の照明器具２と、外部から入力されるＰＷＭ信号Ｓ０と同期して変動する電圧を各照明器具２に出力する照明用電源８と、照明器具２により照明される照明エリアの明るさを検出する明るさセンサ３と、明るさセンサ３の検出出力に対応したＰＷＭ信号Ｓ０を生成して照明用電源８に出力することで照明用電源８から出力される点灯電圧Ｖ１，Ｖ２を制御して照明器具２の調光率を制御する制御部５とを備える。照明用電源８は、半数の照明器具２（第１の照明器具２１）に出力する点灯電圧Ｖ１の位相と、残り半数の照明器具２（第２の照明器具２２）に出力する点灯電圧Ｖ２の位相とを、ＰＷＭ信号Ｓ０の半周期に相当する位相だけずらしている。【選択図】図１
2011090895.tif 000002
【特許請求の範囲】
【請求項１】
複数の照明器具と、外部から入力されるＰＷＭ信号と同じ周期で変動する点灯電圧を各照明器具に出力して各照明器具を点灯させる照明用電源と、複数の照明器具により照明される照明エリアの明るさを検出する明るさセンサと、明るさセンサの検出出力に基づいて生成された前記ＰＷＭ信号を照明用電源に出力することで照明用電源から出力される点灯電圧を変化させて各照明器具の調光率を制御する制御部とを備え、照明用電源は、複数の照明器具のうちの少なくとも１つの照明器具に出力する点灯電圧の位相と、他の照明器具に出力する点灯電圧の位相とをずらすことを特徴とする照明システム。
【請求項２】
前記照明用電源は、複数の前記照明器具のうち少なくとも１つの前記照明器具に出力する前記点灯電圧の位相と、他の前記照明器具に出力する前記点灯電圧の位相とを、前記ＰＷＭ信号の半周期に相当する位相だけずらすことを特徴とする請求項１記載の照明システム。
【請求項３】
偶数台の前記照明器具を備え、前記照明用電源は、半数の前記照明器具に出力する前記点灯電圧の位相と、残りの半数の前記照明器具に出力する前記点灯電圧の位相とを、前記ＰＷＭ信号の半周期に相当する位相だけずらすことを特徴とする請求項１記載の照明システム。
【請求項４】
Ｎ（Ｎは２以上の整数）台の前記照明器具を備え、前記照明用電源は、前記各照明器具に出力する前記点灯電圧の位相を、前記ＰＷＭ信号の１／Ｎ周期ずつ等間隔にずらすことを特徴とする請求項１記載の照明システム。
【発明の詳細な説明】
【技術分野】
【０００１】
本発明は、照明システムに関するものである。
【背景技術】
【０００２】
従来から、例えば、建物の室内に設置される昼光利用制御を行う照明システムとして、蛍光灯を有する複数の照明器具と、照明器具からの光が照射される照明エリアの明るさを検知するとともに照明エリアの明るさに応じた電圧を出力する明るさセンサと、明るさセンサから出力される電圧の大きさに基づいて蛍光灯に出力する電圧を制御する点灯装置とを備え、明るさセンサから出力される電圧が一定となるように複数の蛍光灯を調光制御する照明システムがあった。ここに、昼光利用制御とは、窓等を通じて室内に差し込む昼光がある場合には、照明器具の調光率を下げ、昼光がない場合には、照明器具の調光率を上げることで、室内の机上面の明るさを一定に維持するように照明器具の調光率を制御することをいう。
【０００３】
前述の昼光利用制御を行う照明システムでは、まず、室内に昼光の無い状態で、照明エリア（例えば、室内に設置された机の机面上）の明るさが所望の明るさとなるように各照明器具の調光率を設定し、このときの明るさセンサの検出出力を明るさ基準値として記憶部に記憶させる。そして、各照明器具では、明るさセンサの検出出力が明るさ基準値よりも大きい場合には、調光率を低くし、明るさセンサの検出出力が明るさ基準値よりも小さい場合には、調光率を高くする。
【０００４】
この類の照明システムとして、例えば、図６に示すように、照明器具１０２と、天井Ｃに取り付けられ照明器具１０２の照明エリアの明るさを検出する明るさセンサ装置１０３とを備え、照明エリアの明るさを明るさセンサ装置１０３で検出しつつ照明エリアの明るさを所望の明るさに維持する照明システムが提案されている（特許文献１参照）。ここで、照明器具１０２は、蛍光灯からなる照明負荷１０７と、明るさセンサ装置１０３から入力される調光制御信号に基づいて照明負荷１０７を調光する点灯装置１０８とから構成される。また、明るさセンサ装置１０３は、例えば、照明エリアの明るさを検出する明るさセンサ（図示せず）と、照明エリアの明るさが所望の明るさのときの明るさセンサの検出出力を明るさ基準値として記憶しておく記憶部（図示せず）と、明るさセンサの検出出力と明るさ基準値とを比較して、明るさセンサの検出出力が明るさ基準値に等しくなるように点灯装置１０８を制御するための調光制御信号を生成して点灯装置１０８に送出する制御部１０５とを備える。ここに、制御部１０５は、調光制御信号を点灯装置１０８に信号線Ｌ１を介して送信することが可能となっている。なお、照明器具１０２は、別置のリモートコントローラ１１９により点灯および消灯させることが可能となっており、リモートコントローラ１１９には、照明エリア（例えば、当該照明システムが設置された室内に設置された机Ｔの机面上）に配置された照度測定装置１０４に信号線Ｌ２を介して接続されており、照度測定装置１０４により測定された照明エリアの明るさがリモートコントローラ１１９の表示画面１１９ａに表示されるようになっている。
【０００５】
図６に示す構成の照明システムでは、まず、部屋内に昼光のない状態で照明器具１０２が有する照明負荷１０７の調光率を調整し、照明エリアの明るさを所望の明るさに設定する。そして、照明エリアの明るさが所望の明るさの場合における明るさセンサ装置１０３の検出出力を明るさ基準値として記憶部に記憶させておく。そして、通常の前記昼光利用制御を行うときには、明るさセンサ装置１０３の検出出力が明るさ基準値よりも大きくなると、照明負荷１０７の調光率を低くするように点灯装置１０８を制御し、明るさセンサの検出出力が明るさ基準値よりも小さくなると、照明負荷１０７の調光率を高くするように点灯装置１０８を制御することで、部屋内に差し込む昼光の光量が変動しても照明エリアの明るさを一定に保つことができる。
【０００６】
なお、図６に示す照明システムでは、蛍光灯からなる照明器具１０７の光出力に発生するリップルのため、明るさセンサの検出出力に数１０ｋＨｚ程度の周波数で変動するノイズ成分（リップル）が含まれることがあるので、一般的に、明るさセンサの出力端にコンデンサ（図示せず）と抵抗（図示せず）とを含むローパスフィルタ回路（図示せず）を接続することで明るさセンサの検出出力に含まれるノイズ成分を除去することが行われる。
【０００７】
また、近年、低消費電力のＬＥＤが照明用途に利用されつつあるが、図６に示す照明システムにおいて、蛍光灯を備えた照明器具の代わりに、ＬＥＤを備えた照明器具（以下、ＬＥＤ照明器具という）を用い、点灯装置１０８が、制御部１０５から入力される調光制御信号であるＰＷＭ信号と同じ周期で変動する点灯電圧をＬＥＤ照明器具に出力してＬＥＤ照明器具を点灯させるとともに、制御部１０５が、明るさセンサの検出出力に基づいて生成された調光制御信号であるＰＷＭ信号を送出する照明システムが提案されている。ここにおいて、ＬＥＤ照明器具が、制御部１０５から送出されるＰＷＭ信号に同期して周期的に点滅し、制御部１０５が、明るさセンサの検出出力に基づいてデューティ比が適宜設定されたＰＷＭ信号を生成して点灯装置１０８に出力し点灯装置１０８から出力される点灯電圧を変化させることでＬＥＤ照明器具の調光率を制御する。
【先行技術文献】
【特許文献】
【０００８】
【特許文献１】特開２００４−１８５８７６号公報
【発明の概要】
【発明が解決しようとする課題】
【０００９】
ところで、このＬＥＤ照明器具を用いた照明システムでは、各ＬＥＤ照明器具の光出力がＰＷＭ信号に同期して周期的に変化するので、明るさセンサの検出出力に各ＬＥＤ照明器具の光出力の変動に対応したリップルが生じてしまい、このリップルの影響で、明るさセンサの検出出力を測定するタイミングによって明るさセンサの検出出力の測定値が異なってしまうことがあった。例えば、制御部１０５から送出されるＰＷＭ信号の周期が２０ｍｓの場合、各ＬＥＤ照明器具の光出力はＰＷＭ信号の周期と同じ２０ｍｓで変動し、明るさセンサの検出出力も２０ｍｓの周期で変動することになる。そのため、明るさセンサの検出出力を測定するタイミングによって測定値が大きく異なってしまうので、各ＬＥＤ照明器具の調光率を適切に調節することができず、各ＬＥＤ照明器具の調光率を適切に制御することができなくなるおそれがあった。
【００１０】
なお、明るさセンサの検出出力をローパスフィルタに入力してリップルを除去することも考えられるが、ＰＷＭ信号の周期は、蛍光灯の光出力のノイズ成分に比べて長い周期（低い周波数）で変動する。従って、ＰＷＭ信号に同期して変動する明るさセンサの検出出力の変動成分を除去するためには、ローパスフィルタに含まれるコンデンサの容量を大きくして、明るさセンサの検出出力に対して、より低い周波数で変動する成分まで遮断可能とする必要がある。すると、明るさセンサの検出出力に対して、部屋内に存在する昼光の光量の変動に起因した比較的低い周波数で変動する成分まで遮断してしまい、部屋内に存在する昼光の光量の変化に応じて前記照明器具の調光率を制御することができなくなってしまうおそれがあった。
【００１１】
本願発明は、上記事由に鑑みてなされたものであり、その目的は、光出力が周期的に変動する複数の照明器具を備え、照明器具の調光率を適切に制御することができる照明システムを提供することにある。
【課題を解決するための手段】
【００１２】
請求項１の発明は、複数の照明器具と、外部から入力されるＰＷＭ信号と同じ周期で変動する点灯電圧を各照明器具に出力して各照明器具を点灯させる照明用電源と、複数の照明器具により照明される照明エリアの明るさを検出する明るさセンサと、明るさセンサの検出出力に基づいて生成された前記ＰＷＭ信号を照明用電源に出力し照明用電源から出力される点灯電圧を変化させることで各照明器具の調光率を制御する制御部とを備え、照明用電源は、複数の照明器具のうちの少なくとも１つの照明器具に出力する点灯電圧の位相と、他の照明器具に出力する点灯電圧の位相とをずらすことを特徴とする。
【００１３】
この発明によれば、照明用電源が、複数の照明器具のうちの少なくとも１つの照明器具に出力する点灯電圧の位相と、他の照明器具に出力する点灯電圧の位相とをずらすことにより、照明用電源から出力される点灯電圧が前記ＰＷＭ信号の周期に同期して周期的に変動するものであっても、明るさセンサの検出出力に生じるリップルを低減することができるので、明るさセンサの検出出力を測定するタイミングによって、明るさセンサの検出出力の測定値が異なってしまうことがないから、各照明器具の調光率を適切に制御することができる。また、明るさセンサの検出出力に生じるリップルを除去するためのローパスフィルタ等のリップル除去回路を設ける必要がないので、照明システムのコスト低減および小型化を図ることができる。また、制御部において、明るさセンサの検出出力の測定値に対して平均化処理を行う必要もないので、制御部の処理負荷を軽減することができる。
【００１４】
請求項２の発明は、請求項１の発明において、前記照明用電源は、複数の前記照明器具のうち少なくとも１つの前記照明器具に出力する前記点灯電圧の位相と、他の前記照明器具に出力する前記点灯電圧の位相とを、前記ＰＷＭ信号の半周期に相当する位相だけずらすことを特徴とする。
【００１５】
この発明によれば、前記照明用電源は、複数の前記照明器具のうち少なくとも１つの前記照明器具に出力する前記点灯電圧の位相と、他の前記照明器具に出力する前記点灯電圧の位相とを、前記ＰＷＭ信号の半周期に相当する位相だけずらすことにより、前記ＰＷＭ信号の半周期に等しくない時間に相当する位相だけ、前記ＰＷＭ信号の位相と相違している場合に比べて、前記明るさセンサの検出出力に生じるリップルをより低減することができるので、前記照明器具の調光率をより適切に制御することができる。
【００１６】
請求項３の発明は、請求項１の発明において、偶数台の前記照明器具を備え、前記照明用電源は、半数の前記照明器具に出力する前記点灯電圧の位相と、残りの半数の前記照明器具に出力する前記点灯電圧の位相とを、前記ＰＷＭ信号の半周期に相当する位相だけずらすことを特徴とする。
【００１７】
この発明によれば、偶数台の前記照明器具を備え、前記照明用電源は、半数の前記照明器具に出力する前記点灯電圧の位相と、残りの半数の前記照明器具に出力する前記点灯電圧の位相とを、前記ＰＷＭ信号の半周期に相当する位相だけずらすことにより、互いに前記ＰＷＭ信号の半周期に相当する位相だけ異なる複数の前記照明器具の数が異なる場合に比べて、前記明るさセンサの検出出力に生じるリップルをより低減することができるので、前記照明器具の調光率をより適切に制御することができる。
【００１８】
請求項４の発明は、請求項１の発明において、Ｎ（Ｎは２以上の整数）台の前記照明器具を備え、前記照明用電源は、前記各照明器具に出力する前記点灯電圧の位相を、前記ＰＷＭ信号の１／Ｎ周期ずつ等間隔にずらすことを特徴とする。
【００１９】
この発明によれば、Ｎ（Ｎは２以上の整数）台の前記照明器具を備え、前記照明用電源は、前記各照明器具に出力する前記点灯電圧の位相を、前記ＰＷＭ信号の１／Ｎ周期ずつ等間隔にずらすことにより、一定の周期で光出力が変動する複数の前記照明器具を備える場合、前記明るさセンサの検出出力に生じるリップルをより低減することができるので、前記照明器具の調光率をより適切に制御することができる。
【発明の効果】
【００２０】
請求項１の発明によれば、複数の照明器具のうちの少なくとも１つの照明器具に対して照明用電源から出力される点灯電圧の位相と、他の照明器具に対して照明用電源から出力される点灯電圧の位相とをずらすことにより、照明用電源から出力される点灯電圧が周期的に変動するものであっても、明るさセンサの検出出力に生じるリップルを低減することができるので、明るさセンサの検出出力を測定するタイミングによって、明るさセンサの検出出力が異なってしまうことがないから、各照明器具の調光率を適切に制御することができる。また、明るさセンサの検出出力に生じるリップルを除去するためのローパスフィルタ等のリップル除去回路等を設ける必要がないので、照明システムのコスト低減および小型化を図ることができる。また、制御部において、明るさセンサの検出出力に対して、明るさセンサの検出出力に生じるリップルの影響を除くために明るさセンサの検出出力の測定値に対して平均化処理を行わせる必要もないので、制御部の処理負荷を軽減することができる。
【図面の簡単な説明】
【００２１】
【図１】実施形態１の照明システムの構成図である。
【図２】同上の照明システムの動作説明図を示し、（ａ）は、制御部の出力（ＰＷＭ信号）、（ｂ）は、第１の照明用電源から出力される点灯電圧、（ｃ）は、明るさセンサの検出出力（第１の照明器具の光出力に対応する成分）、（ｄ）は、第２の照明用電源から出力される点灯電圧、（ｅ）は、明るさセンサの検出出力（第２の照明器具の光出力に対応する成分）、（ｆ）は、明るさセンサの検出出力である。
【図３】実施形態２の照明システムの構成図である。
【図４】同上の照明システムの動作説明図を示し、（ａ）は、制御部の出力（第１のＰＷＭ信号）、（ｂ）は、第１の照明用電源から出力される点灯電圧、（ｃ）は、明るさセンサの検出出力（第１の照明器具の光出力に対応する成分）、（ｄ）は、制御部の出力（第２のＰＷＭ信号）、（ｅ）は、第２の照明用電源から出力される点灯電圧、（ｆ）は、明るさセンサの検出出力（第２の照明器具の光出力に対応する成分）、（ｇ）は、明るさセンサの検出出力である。
【図５】実施形態３における照明システムの動作説明図を示し、（ａ）乃至（ｃ）は、各照明用電源から出力される点灯電圧、（ｄ）は、明るさセンサの検出出力である。
【図６】従来例の照明システムの構成図を示す。
【発明を実施するための形態】
【００２２】
（実施形態１）
以下、本実施形態の照明システムについて図１乃至図５に基づいて説明する。
【００２３】
本実施形態の照明システムは、複数の照明器具２と、各照明器具に対して外部から入力されるＰＷＭ信号Ｓ０に同期して変動し且つ照明器具２を点灯させることができる点灯電圧を出力する照明用電源８と、複数の照明器具２により照明される照明エリアの明るさを検出する明るさセンサ３と、明るさセンサ３の検出出力に対応したＰＷＭ信号Ｓ０を生成して照明用電源８に出力することで照明用電源８から出力される点灯電圧Ｖ１，Ｖ２を制御して複数の照明器具２の調光率を制御する制御部５とを備える。
【００２４】
照明器具２は、例えば、天井（図示せず）等に設置される天井埋め込み型のＬＥＤ照明器具であって、例えば、白色ＬＥＤ（図示せず）からなる照明負荷（図示せず）と、当該照明負荷を収納するための器具本体（図示せず）とを備える照明器具２が用いられる。なお、前記照明負荷としては、例えば、白熱灯や蛍光灯等であってもよい。
【００２５】
照明用電源８は、例えば、各照明器具２それぞれに各別に接続されるものであって、商用電源（図示せず）から供給される交流電力を整流した後に平滑化して直流電流を出力する電力変換回路部（図示せず）と、前記電力変換回路部からの電力供給を受けて照明器具２が備える前記照明負荷にパルス状の直流電圧を点灯電圧として出力する点灯回路部（図示せず）と、前記ＰＷＭ信号のデューティ比に応じたパルス幅の点灯電圧Ｖ１，Ｖ２が出力されるように前記点灯回路部を制御する制御回路部（図示せず）とを備える。
【００２６】
前記電力変換回路部は、例えば、前記商用電源から供給される交流電流を全波整流するダイオードブリッジ（図示せず）と、前記ダイオードブリッジの出力端間に接続され前記ダイオードブリッジから出力される脈流を平滑化するための平滑用コンデンサ（図示せず）とから構成される。
【００２７】
前記点灯回路部は、例えば、前記電力変換回路から出力される直流電圧を降圧するための降圧チョッパ回路（図示せず）と、当該降圧チョッパ回路の出力端の一方に一端側が接続されたスイッチング素子（図示せず）と限流用の抵抗（図示せず）とからなる直列回路とからなる。ここに、前記スイッチング素子と限流用の前記抵抗との直列回路の他端側と、前記降圧チョッパ回路の出力端の他方とが、前記点灯回路部の出力端を構成する。また、前記降圧チョッパ回路は、例えば、前記電力変換回路部の出力端間に接続された電圧制御用スイッチング素子（図示せず）とダイオード（図示せず）とからなる直列回路と、前記ダイオードの両端間に接続されたチョークコイルからなるインダクタ（図示せず）と平滑用コンデンサ（図示せず）とからなる直列回路と、前記電圧制御用スイッチング素子に接続され前記電圧制御用スイッチング素子のオン・オフ時間を制御するコントローラ（図示せず）とから構成されている。ここに、前記コントローラは、前記マイクロコンピュータに適宜の制御プログラムを搭載することにより実現されている。また、前記点灯回路部
また、前記点灯回路部の出力端間には、照明器具２に内蔵された白色ＬＥＤからなる前記照明負荷が接続されている。ここで、前記スイッチング素子がオンすると、前記点灯回路部から前記照明負荷に直流電圧が出力され、前記スイッチング素子がオフすると、前記点灯回路部から前記照明負荷への直流電圧の出力が停止される。つまり、前記スイッチング素子を周期的にオン・オフさせることにより、前記点灯回路部から照明器具２が備える前記照明負荷にパルス状の直流電圧である点灯電圧Ｖ１，Ｖ２が出力される。
【００２８】
前記制御回路部は、適宜制御プログラムが搭載されたマイクロコンピュータ（図示せず）により実現されており、制御部５から出力されるＰＷＭ信号Ｓ０に同期して前記スイッチング素子をオン・オフさせることで、前記点灯回路部から前記照明負荷にパルス状の点灯電圧Ｖ１，Ｖ２が出力されるように前記点灯回路部を制御する。また、前記制御回路部は、ＰＷＭ信号Ｓ０のデューティ比に基づいて前記スイッチング素子のオン期間（前記ＰＷＭ信号の１周期における前記スイッチング素子がオンしている期間）を設定することで、前記点灯回路部から照明器具２が備える前記照明負荷に供給される電力を制御して、照明器具２の調光率を制御する。
【００２９】
明るさセンサ３は、例えば、フォトダイオードおよびフォトダイオードからの信号を電圧に変換して増幅するためのアンプ等が一体に設けられたモジュールであるフォトＩＣダイオードからなる。明るさセンサ３は、複数の照明器具２により照明される照明エリアの光をフォトダイオードで受光し、フォトダイオードの受光量に比例した電圧を検出出力Ｄ０として出力する。
【００３０】
制御部５は、一定の測定周期で明るさセンサ３の検出出力を取り込む検出出力測定部５ｂと、検出出力測定部５ｂで測定された検出出力Ｄ０の測定値に応じてデューティ比が設定されてなるＰＷＭ信号Ｓ０を生成するＰＷＭ信号生成部５ｃと、照明エリアの明るさが所望の明るさのときの検出出力測定部５ｂで測定される検出出力Ｄ０およびＰＷＭ信号Ｓ０のデューティ比を明るさ基準値および基準デューティ比として記憶する記憶部５ａとを備える。例えば、照明器具２が設置された室内に昼光のない状態で照明エリア（例えば、室内の机面上）の明るさが所望の明るさ（例えば、７５０ルクス）となるように各照明器具２の調光率を調節し、このときに前記検出出力測定部で測定される明るさセンサ３の検出出力の測定値を明るさ基準値として記憶部５ａに記憶させ、また、このときにＰＷＭ信号生成部５ｃから照明用電源８に出力される前記ＰＷＭ信号のディーティ比を基準デューティ比として記憶部５ａに記憶させておく。また、ＰＷＭ信号生成部５ｃは、窓等を通じて室内に差し込む昼光が増加し、記憶部５ａから取得した前記明るさ基準値よりも明るさセンサ３の検出出力Ｄ０の測定値が高くなるとＰＷＭ信号Ｓ０のデューティ比を記憶部５ａから取得した前記基準デューティ比よりも小さくして照明器具２の調光率を下げ、窓等を通じて室内に差し込む昼光が減少し、明るさセンサ３の検出出力Ｄ０の測定値が低下すると前記ＰＷＭ信号のデューティ比を大きくして、照明器具２の調光率を上げる。
【００３１】
ところで、本実施形態の照明システムは、偶数台の照明器具２を備え、各照明器具２のうち、半数の照明器具（以下、第１の照明器具という）２１に対して照明用電源（以下、第１の照明用電源という）８１が出力する点灯電圧Ｖ１の位相と、残り半数の照明器具（以下、第２の照明器具という）２２に対して照明用電源（以下、第２の照明用電源という）８２が出力する点灯電圧Ｖ２の位相とが、図２（ｂ）および（ｄ）に示すように、ＰＷＭ信号Ｓ０の半周期に相当する位相だけずれている。即ち、第１の照明用電源８１から出力される点灯電圧Ｖ１の位相が、ＰＷＭ信号Ｓ０の位相と一致しており、第２の照明用電源８２から出力される点灯電圧Ｖ２の位相が、ＰＷＭ信号Ｓ０の位相に対して、ＰＷＭ信号Ｓ０の半周期に相当する位相だけずれている。ここで、明るさセンサ３の検出出力Ｄ０のうち、第１の照明器具２１の光出力に対応する成分Ｄ１は、図２（ｃ）に示すように、ＰＷＭ信号Ｓ０に同期して変動し、第２の照明器具２２の光出力に対応する成分Ｄ２は、図２（ｅ）に示すように、ＰＷＭ信号Ｓ０に対してＰＷＭ信号Ｓ０の半周期に相当する位相だけずれた形で変動する。従って、明るさセンサ３の検出出力Ｄ０は、第１の照明器具２１の光出力に対応する成分Ｄ１に含まれる変動成分と、第２の照明器具２２の光出力に対応する成分Ｄ２に含まれる変動成分とで互いに相殺されて、図２（ｆ）に示すように略一定となる。
【００３２】
本実施形態の照明システムでは、明るさセンサ３の検出出力Ｄ０のうち、第１の照明器具２１の光出力に対応する成分Ｄ１および第２の照明器具２２の光出力に対応する成分Ｄ２それぞれが、各成分Ｄ１，Ｄ２の平均値の±５０％の範囲内で周期的に変動する場合でも、明るさセンサ３の検出出力Ｄ０の測定値への影響を低減することができる。
【００３３】
しかして、照明用電源８から出力される点灯電圧Ｖ１，Ｖ２が周期的に変動するものであっても、明るさセンサ３の検出出力Ｄ０に生じるリップルを低減することができるので、明るさセンサ３の検出出力Ｄ０を測定するタイミングによって、明るさセンサ３の検出出力Ｄ０の測定値が異なってしまうことがないから、照明器具２の調光率を適切に制御することができる。また、明るさセンサ３の検出出力Ｄ０に生じるリップルを除去するためのローパスフィルタ等のリップル除去回路を設ける必要がないので、照明システムのコスト低減および照明システムの小型化を図ることができる。また、制御部５において、明るさセンサ３の検出出力Ｄ０の測定値に対して平均化処理を行う必要もないので、制御部５の処理負荷を軽減することができる。
【００３４】
また、第１の照明用電源８１から出力される点灯電圧Ｖ１の位相が、ＰＷＭ信号Ｓ０の位相と一致しており、第２の照明用電源８２から出力される点灯電圧Ｖ２の位相が、ＰＷＭ信号Ｓ０の半周期に相当する位相だけＰＷＭ信号Ｓ０の位相からずれていることにより、第２の照明用電源８２から出力される点灯電圧Ｖ２の位相が、ＰＷＭ信号Ｓ０の半周期と等しくない時間に相当する位相だけＰＷＭ信号Ｓ０の位相からずれている場合に比べて、明るさセンサ３の検出出力Ｄ０に生じるリップルをより低減することができるので、第１の照明器具２１および第２の照明器具２２の調光率（複数の照明器具２それぞれの調光率）をより適切に制御することができる。なお、本実施形態では、第２の照明用電源８２から出力される点灯電圧Ｖ２の位相が、ＰＷＭ信号Ｓ０の半周期に相当する位相だけＰＷＭ信号Ｓ０の位相からずれている例について説明したが、第２の照明用電源８２から出力される点灯電圧Ｖ２の位相が、ＰＷＭ信号Ｓ０の半周期と等しくない時間に相当する位相だけＰＷＭ信号Ｓ０の位相からずれているものであってもよい。
【００３５】
また、本実施形態の照明システムでは、第１の照明器具２１の台数と第２の照明器具２２の台数とが等しいので、第１の照明器具２１の台数と第２の照明器具２２の台数とが異なる場合に比べて、明るさセンサ３の検出出力Ｄ０に生じるリップルをより低減することができるから、第１の照明器具２１および第２の照明器具２２の調光率（複数の照明器具２それぞれの調光率）をより適切に制御することができる。
【００３６】
なお、本実施形態では、第１の照明器具２１および第２の照明器具２２それぞれに各別に接続された第１の照明用電源８１および第２の照明用電源８２から、第１の照明器具２１および第２の照明器具２２それぞれに点灯電圧Ｖ１，Ｖ２を出力する例について説明したが、これに限定されるものではなく、例えば、第１の照明器具２１および第２の照明器具２２それぞれが共通に接続された照明用電源８から、第１の照明器具２１および第２の照明器具２２それぞれに互いに位相が相違する点灯電圧Ｖ１，Ｖ２を出力するものであってもよい。
【００３７】
（実施形態２）
本実施形態の照明システムは、偶数台の照明器具２を備え、基本的な構成は、実施形態１の照明システムと略同じであり、図３に示すように、制御部５が、第１のＰＷＭ信号Ｓ１を半数の照明器具（以下、第１の照明器具という）２３に接続された照明用電源（以下、第１の照明用電源という）８３に出力するとともに、第１のＰＷＭ信号Ｓ１の位相を半周期だけずらした第２のＰＷＭ信号Ｓ２を残り半数の照明器具（以下、第２の照明器具）２４に接続された照明用電源（以下、第２の照明用電源という）８４に出力する点が実施形態１とは相違する。
【００３８】
本実施形態の照明システムでは、第１の照明用電源８３が第１の照明器具２３に出力する点灯電圧Ｖ１の位相が、図４（ａ）および（ｂ）に示すように、制御部５から第１の照明用電源８３に出力される第１のＰＷＭ信号Ｓ１の位相と一致しており、第２の照明用電源８４が第２の照明器具２４に出力する点灯電圧Ｖ２の位相が、図４（ｄ）および（ｅ）に示すように、制御部５から第２の照明用電源８４に出力される第２のＰＷＭ信号Ｓ２の位相に一致している。ここで、明るさセンサ３の検出出力Ｄ０のうち、第１の照明器具２３の光出力に対応する成分Ｄ１は、図４（ｃ）に示すように、第１のＰＷＭ信号Ｓ１に同期して変動し、第２の照明器具２４の光出力に対応する成分Ｄ２は、図４（ｆ）に示すように、第２のＰＷＭ信号Ｓ２に同期して変動し、第１のＰＷＭ信号Ｓ１と第２のＰＷＭ信号Ｓ２とは周期が同じであり且つ互いに第１のＰＷＭ信号Ｓ１（第２のＰＷＭ信号Ｓ２）の半周期に相当する分だけ位相がずれている。従って、明るさセンサ３の検出出力Ｄ０は、第１の照明器具２１の光出力に対応する成分Ｄ１に含まれる変動成分と、第２の照明器具２２の光出力に対応する成分Ｄ２に含まれる変動成分とで互いに相殺されて、図４（ｇ）に示すように略一定となる。
【００３９】
しかして、実施形態１の照明システムと同様に、第１の照明用電源８３および第２の照明用電源８４から出力される点灯電圧（照明用電源８から出力される点灯電圧）Ｖ１，Ｖ２が周期的に変動するものであっても、明るさセンサ３の検出出力Ｄ０に生じるリップルを低減することができるので、明るさセンサ３の検出出力Ｄ０を測定するタイミングによって、明るさセンサ３の検出出力Ｄ０の測定値が異なってしまうことがないから、第１の照明器具２３および第２の照明器具２４の調光率（複数の照明器具２それぞれの調光率）を適切に制御することができる。
【００４０】
また、本実施形態の照明システムでは、制御部５において第１のＰＷＭ信号Ｓ１および第２のＰＷＭ信号Ｓ２の位相を設定することで、第１の照明用電源８３から出力される点灯電圧Ｖ１および第２の照明用電源８４から出力される点灯電圧Ｖ２の位相それぞれを設定することができるので、実施形態１の照明システムのように、複数の照明用電源８それぞれについて各別に点灯電圧Ｖ１，Ｖ２の位相を設定する必要がある場合に比べて、第１の照明用電源８３および第２の照明用電源８４から出力される点灯電圧（照明用電源８から出力される点灯電圧）Ｖ１，Ｖ２の位相の設定が容易になるという利点がある。
【００４１】
（実施形態３）
本実施形態の照明システムは、３台の照明器具２を備えており、基本的な構成は、実施形態１の照明システムと略同じであり、照明用電源８が各照明器具２に出力する点灯電圧の位相それぞれが、制御部５から照明用電源８に出力されるＰＷＭ信号の１／３周期ずつ等間隔でずれている点が実施形態１とは相違する。
【００４２】
つまり、３つの照明器具２のうちの１つの照明器具２に対して照明用電源８から出力される点灯電圧Ｖ１の位相が、図５（ａ）および（ｂ）に示すように、制御部５から照明用電源８に出力されるＰＷＭ信号Ｓ０の位相と一致しており、他の２つの照明器具２に対して照明用電源８から出力される点灯電圧Ｖ１，Ｖ２の位相それぞれが、図５（ａ）、（ｃ）および（ｄ）に示すように、ＰＷＭ信号Ｓ０に対してＰＷＭ信号Ｓ０の１／３周期、２／３周期に相当する位相だけずれている。従って、明るさセンサ３の検出出力Ｄ０は、３つの照明器具２それぞれの光出力に対応する成分に含まれる変動成分は、互いに相殺されて、図５（ｅ）に示すように略一定となる。
【００４３】
しかして、光出力が周期的に変動する複数の照明器具２を備える照明システムについて、明るさセンサ３の検出出力Ｄ０に生じるリップルをより低減することができるので、照明器具２それぞれの調光率をより適切に制御することができる。
【００４４】
なお、本実施形態では、３つの照明器具２を備える照明システムについて説明したが、これに限定されるものではなく、例えば、４台以上のＮ台の照明器具２を備え、各照明器具２に対して照明用電源８が出力する点灯電圧の位相が、互いにＰＷＭ信号Ｓ０の１／Ｎ周期ずつ等間隔でずれている照明システムであってもよい。
【符号の説明】
【００４５】
２  照明器具
３  明るさセンサ
５  制御部
８  照明用電源
２１  第１の照明器具
２２  第２の照明器具
２３  第３の照明器具
２４  第４の照明器具
８１  第１の照明用電源
８２  第２の照明用電源
８３  第３の照明用電源
８４  第４の照明用電源
【図１】
2011090895.tif 000003
【図２】
2011090895.tif 000004
【図３】
2011090895.tif 000005
【図４】
2011090895.tif 000006
【図５】
2011090895.tif 000007
【図６】
2011090895.tif 000008